(57)【要約】【課題】過負荷による故障を抑制することが可能で、かつ、過負荷であることを通知可能な電源装置及び照明システムを提供する。【解決手段】電源装置１０は、照明器具が電気的に並列接続される接続部２と、照明器具に直流電圧を印加する電源回路３と、照明器具に設けられた光源を調光するための調光信号Ｓ１を出力する出力回路４とを備える。出力回路４は、電源回路３の出力電流Ｉａの値を監視して値が所定値以上であるか否かを判定する判定部１６を有する。出力回路４は、判定部１６により値が所定値以上であると判定された場合、値が所定値よりも小さくなるように調光信号Ｓ１の調光率を第１調光率に変更した後、第１調光率と第２調光率とを交互に繰り返すように、調光率を変化させる。【選択図】図１
2017120725.tif 000002
【特許請求の範囲】
【請求項１】
１台または複数台の照明器具が電気的に並列接続される接続部と、前記照明器具に直流電圧を印加する電源回路と、前記照明器具に設けられた光源を調光するための調光信号を出力する出力回路とを備え、
前記出力回路は、前記電源回路の出力電流、出力電圧、出力電力、入力電流、入力電圧及び入力電力のうちいずれか１つの値を監視して前記値が所定値以上であるか否かを判定する判定部を有し、
前記出力回路は、前記判定部により前記値が前記所定値以上であると判定された場合、前記値が前記所定値よりも小さくなるように前記調光信号の調光率を第１調光率に変更した後、前記第１調光率と、前記値が前記所定値である場合の前記調光率よりも小さな第２調光率とを交互に繰り返すように、前記調光率を変化させる
電源装置。
【請求項２】
前記出力回路は、前記判定部により前記値が、前記所定値である第１所定値よりも大きな第２所定値以上であると判定された場合、前記第１調光率を、前記値が前記第１所定値以上、かつ、前記第２所定値未満である場合の前記第１調光率よりも小さくする
請求項１記載の電源装置。
【請求項３】
前記出力回路は、前記判定部により前記値が、前記所定値である第１所定値よりも大きな第２所定値以上であると判定された場合、前記調光率が前記第２調光率であるときの時間を、前記値が前記第１所定値以上、かつ、前記第２所定値未満である場合の前記調光率が前記第２調光率であるときの時間よりも長くする
請求項１または請求項２記載の電源装置。
【請求項４】
前記出力回路は、前記調光信号と、前記光源を調色するための調色信号との両方を前記照明器具へ出力するように構成され、
前記出力回路は、前記判定部により前記値が前記所定値以上であると判定された場合、前記調光信号と前記調色信号とのうち前記調光信号のみを変化させる
請求項１ないし請求項３のいずれか１項に記載の電源装置。
【請求項５】
請求項１ないし請求項４のいずれか１項に記載の電源装置と、前記照明器具とを備えている
照明システム。
【発明の詳細な説明】
【技術分野】
【０００１】
本発明は、電源装置及び照明システムに関する。
【背景技術】
【０００２】
従来、複数台の灯具に電圧を印加し、かつ、これら複数台の灯具に調光信号を送信する電源ユニットが提案されている（特許文献１）。複数台の灯具の各々は、調光信号に基づいて調光するように構成されている。
【０００３】
特許文献１記載の電源ユニットは、既設の複数台の灯具に新たな灯具が追加された場合、全ての灯具へ出力される電流の電流値が所定の上限値を超えないように、調光信号を変化させる。
【先行技術文献】
【特許文献】
【０００４】
【特許文献１】特開２０１１−２０４３８１号公報
【発明の概要】
【発明が解決しようとする課題】
【０００５】
特許文献１記載の電源ユニットでは、既設の複数台の灯具に新たな灯具が追加された場合、１台あたりの灯具の光出力を減らして全ての灯具を点灯させるので、過負荷による故障を抑制することが可能になる。
【０００６】
しかしながら、特許文献１記載の電源ユニットでは、過負荷による故障を抑制できたとしても、過負荷であることを、例えば、施工業者等の人に知らせることが困難である。
【０００７】
本発明は、上述の事由に鑑みてなされ、本発明の目的は、過負荷による故障を抑制することが可能で、かつ、過負荷であることを通知可能な電源装置及び照明システムを提供することである。
【課題を解決するための手段】
【０００８】
本発明の一態様に係る電源装置は、１台または複数台の照明器具が電気的に並列接続される接続部と、前記照明器具に直流電圧を印加する電源回路と、前記照明器具に設けられた光源を調光するための調光信号を出力する出力回路とを備えている。前記出力回路は、前記電源回路の出力電流、出力電圧、出力電力、入力電流、入力電圧及び入力電力のうちいずれか１つの値を監視して前記値が所定値以上であるか否かを判定する判定部を有している。前記出力回路は、前記判定部により前記値が前記所定値以上であると判定された場合、前記値が前記所定値よりも小さくなるように前記調光信号の調光率を第１調光率に変更した後、前記第１調光率と、前記値が前記所定値である場合の前記調光率よりも小さな第２調光率とを交互に繰り返すように、前記調光率を変化させる。
【０００９】
本発明の一態様に係る照明システムは、前記電源装置と、前記照明器具とを備えている。
【発明の効果】
【００１０】
本発明の電源装置及び照明システムでは、過負荷による故障を抑制することが可能で、かつ、過負荷であることを通知可能になる。
【図面の簡単な説明】
【００１１】
【図１】実施形態１，２の電源装置の回路図である。
【図２】同上の電源装置を備えた照明システムのブロック図である。
【図３】同上の電源装置に関し、出力電流と調光信号の調光率とを示す波形図である。
【図４】同上の電源装置に関し、出力電流と調光信号の調光率とを示す他の波形図である。
【図５】同上の電源装置に関し、第１調光率と出力電流の超過率との相関図である。
【図６】同上の電源装置に関し、第２調光率の時間と出力電流の超過率との相関図である。
【発明を実施するための形態】
【００１２】
以下の実施形態１，２は、電源装置及びそれを用いた照明システムに関し、より詳細には、照明器具に直流電圧を印加する電源装置及びそれを用いた照明システムに関する。
【００１３】
（実施形態１）
実施形態１の電源装置１０について、図１〜図６を参照しながら説明する。なお、以下では、説明の便宜上、電源装置１０を用いた照明システム１００（図２参照）を説明した後に、電源装置１０について詳細に説明する。
【００１４】
照明システム１００は、図２に示すように、３台の照明器具３０Ａ〜３０Ｃと、電源装置１０と、一対の電線５０Ａ，５０Ｂとを備えている。
【００１５】
３台の照明器具３０Ａ〜３０Ｃの各々は、一対の電線５０Ａ，５０Ｂを介して、電源装置１０と電気的に接続されている。また、３台の照明器具３０Ａ〜３０Ｃの各々は、電源装置１０に対して、電気的に並列接続されている。３台の照明器具３０Ａ〜３０Ｃは、同じ構成及び機能を有している。なお、以下では、３台の照明器具３０Ａ〜３０Ｃを特に区別しない場合、「照明器具３０」として説明する。
【００１６】
照明器具３０は、ダウンライトである。照明器具３０は、発光装置３１と、透光部材３２と、筐体３３とを備えている。透光部材３２は、発光装置３１から放射された光を透過させる。筐体３３は、発光装置３１及び透光部材３２を保持する。
【００１７】
発光装置３１は、光源３４と、点灯回路３５と、受信回路３６とを備えている。光源３４は、複数の固体発光素子を有している。複数の固体発光素子の各々は、ＬＥＤ（Light Emitting Diode）である。複数の固体発光素子の電気的な接続関係は、直列接続である。なお、ＬＥＤは、無機ＬＥＤであってもよいし、有機ＬＥＤであってもよい。
【００１８】
点灯回路３５は、光源３４を点灯させるように構成されている。また、点灯回路３５は、光源３４の光出力の大きさ（明るさ）を調節するように構成されている。具体的には、点灯回路３５は、光源３４に流れる電流を一定にするように構成されている。点灯回路３５は、例えば、降圧チョッパ回路である。
【００１９】
受信回路３６は、後述の第１電源回路３（図１参照）からの直流電圧に含まれたデータ（調光データ）を受信するように構成されている。点灯回路３５は、受信回路３６で受信された調光データに従って、光源３４の光出力の大きさを調節するように構成されている。言い換えれば、点灯回路３５は、受信回路３６で受信された調光データに従って、光源３４を調光するように構成されている。本実施形態では、点灯回路３５は、光源３４をＰＷＭ（Pulse Width Modulation）調光するように構成されている。なお、調光率とは、光源３４の明るさを調節するための変数の一種であり、数値が大きくなるほど（最大値は１００％）、光源３４の明るさを増加させることができる変数である。また、調光率は、例えば、調光レベルと表現することもできる。
【００２０】
以下、電源装置１０について、詳細に説明する。
【００２１】
電源装置１０は、図１に示すように、第１接続部１と、第２接続部２と、第１電源回路３と、出力回路４と、第１検出回路５とを備えている。電源装置１０から照明器具３０への配電は、直流配電である。
【００２２】
第１接続部１は、コネクタである。第１接続部１は、一対の入力端子１Ａ，１Ｂを有している。一対の入力端子１Ａ，１Ｂ間には、交流電源７０が電気的に接続されている。交流電源７０は、例えば、商用電源である。なお、交流電源７０は、電源装置１０の構成要素ではない。
【００２３】
第２接続部２は、コネクタである。第２接続部２は、一対の出力端子２Ａ，２Ｂを有している。一対の出力端子２Ａ，２Ｂには、それぞれ一対の電線５０Ａ，５０Ｂが電気的に接続されている。すなわち、第２接続部２には、３台の照明器具３０Ａ〜３０Ｃが電気的に並列接続されている。なお、一対の電線５０Ａ，５０Ｂは、電源装置１０の構成要素ではない。
【００２４】
第１電源回路３は、照明器具３０に直流電圧を印加するように構成されている。第１電源回路３は、ＡＣ／ＤＣコンバータ６と、ＤＣ／ＤＣコンバータ７と、制御回路８と、第２検出回路９と、第２電源回路１１とを備えている。
【００２５】
ＡＣ／ＤＣコンバータ６は、交流電源７０の交流電圧を直流電圧（第１直流電圧）に変換するように構成されている。ＡＣ／ＤＣコンバータ６は、力率改善機能を有する昇圧チョッパ回路である。第１直流電圧の電圧値は、例えば、数百Ｖである。
【００２６】
ＡＣ／ＤＣコンバータ６の一対の入力端は、それぞれ一対の入力端子１Ａ，１Ｂと電気的に接続されている。第１接続部１とＡＣ／ＤＣコンバータ６との間には、例えば、ノイズを除去するフィルタ回路やサージアブソーバ素子等が設けられていてもよい。ＡＣ／ＤＣコンバータ６の一対の出力端は、ＤＣ／ＤＣコンバータ７と電気的に接続されている。
【００２７】
ＤＣ／ＤＣコンバータ７は、ＡＣ／ＤＣコンバータ６により変換された第１直流電圧を第２直流電圧に変換するように構成されている。ＤＣ／ＤＣコンバータ７は、降圧チョッパ回路である。第２直流電圧の電圧値は、例えば、４０Ｖである。
【００２８】
ＤＣ／ＤＣコンバータ７は、２つのコンデンサＣ１，Ｃ２と、スイッチング素子Ｑ１と、駆動回路１２と、ダイオードＤ１と、インダクタＬ１とを備えている。
【００２９】
コンデンサＣ１は、電解コンデンサである。コンデンサＣ１の高電位側の端子は、ＡＣ／ＤＣコンバータ６の一対の出力端のうちの第１出力端と電気的に接続されている。コンデンサＣ１の低電位側の端子は、ＡＣ／ＤＣコンバータ６の一対の出力端のうちの第２出力端と電気的に接続されている。
【００３０】
コンデンサＣ２は、第２接続部２の一対の出力端子２Ａ，２Ｂ間に電気的に接続されている。コンデンサＣ２は、電解コンデンサであってもよいし、セラミックコンデンサであってもよい。
【００３１】
スイッチング素子Ｑ１は、エンハンスメント型のｎチャネルＭＯＳＦＥＴ（Metal Oxide Semiconductor Field Effect Transistor）である。スイッチング素子Ｑ１のドレイン端子は、コンデンサＣ１の高電位側の端子と電気的に接続されている。スイッチング素子Ｑ１のゲート端子は、駆動回路１２と電気的に接続されている。スイッチング素子Ｑ１のソース端子は、ダイオードＤ１のカソードと電気的に接続されている。ダイオードＤ１のアノードは、コンデンサＣ１の低電位側の端子と電気的に接続されている。
【００３２】
駆動回路１２は、スイッチング素子Ｑ１を駆動するように構成されている。スイッチング素子Ｑ１のスイッチング周波数は、数十ｋＨｚ〜数ＭＨｚの範囲内の周波数である。
【００３３】
インダクタＬ１の第１端は、ダイオードＤ１のカソードと電気的に接続されている。インダクタＬ１の第２端は、コンデンサＣ２の第１端と電気的に接続されている。また、インダクタＬ１の第２端は、第２接続部２の出力端子２Ａと電気的に接続されている。コンデンサＣ２の第２端は、ダイオードＤ１のアノードと電気的に接続されている。また、コンデンサＣ２の第２端は、第１検出回路５を介して、第２接続部２の出力端子２Ｂと電気的に接続されている。さらに、コンデンサＣ２の第２端は、グランド（電源装置１０のグランド）と電気的に接続されている。
【００３４】
制御回路８は、ＤＣ／ＤＣコンバータ７を制御するように構成されている。より詳細には、制御回路８は、駆動回路１２を制御するように構成されている。制御回路８は、例えば、マイクロコンピュータ（第１マイクロコンピュータ）である。第１マイクロコンピュータは、第１メモリを備えている。第１メモリには、第１プログラムが記憶されている。第１プログラムは、第１マイクロコンピュータを制御回路８として機能させるためのプログラムである。
【００３５】
第２検出回路９は、ＤＣ／ＤＣコンバータ７により変換された第２直流電圧（ＤＣ／ＤＣコンバータ７の出力電圧）を検出するように構成されている。第２検出回路９は、２つの抵抗Ｒ１，Ｒ２を備えている。抵抗Ｒ１の第１端は、コンデンサＣ２の第１端と電気的に接続されている。抵抗Ｒ１の第２端は、抵抗Ｒ２の第１端と電気的に接続されている。抵抗Ｒ２の第１端は、制御回路８と電気的に接続されている。抵抗Ｒ２の第２端は、コンデンサＣ２の第２端と電気的に接続されている。
【００３６】
制御回路８は、ＤＣ／ＤＣコンバータ７の出力電圧を一定にするように、ＤＣ／ＤＣコンバータ７を制御する。具体的に説明すると、制御回路８は、第２検出回路９により検出された電圧（抵抗Ｒ２の両端電圧）の電圧値に基づいて、ＤＣ／ＤＣコンバータ７をフィードバック制御する。これにより、制御回路８は、ＤＣ／ＤＣコンバータ７の出力電圧を一定にすることができる。
【００３７】
第２電源回路１１は、制御回路８、出力回路４及び第１検出回路５を動作させる電圧（動作電圧）Ｖｃｃを生成し、かつ、動作電圧Ｖｃｃを制御回路８、出力回路４及び第１検出回路５に印加するように構成されている。第２電源回路１１は、ＡＣ／ＤＣコンバータ６により変換された第１直流電圧から動作電圧Ｖｃｃを生成するように構成されている。
【００３８】
第２電源回路１１は、２つの抵抗Ｒ３，Ｒ４と、ツェナーダイオードＺＤ１とを備えている。抵抗Ｒ３の第１端は、ＡＣ／ＤＣコンバータ６の第１出力端と電気的に接続されている。抵抗Ｒ３の第２端は、抵抗Ｒ４の第１端と電気的に接続されている。抵抗Ｒ４の第２端は、ＡＣ／ＤＣコンバータ６の第２出力端と電気的に接続されている。ツェナーダイオードＺＤ１のカソードは、抵抗Ｒ４の第１端と電気的に接続されている。ツェナーダイオードＺＤ１のアノードは、抵抗Ｒ４の第２端と電気的に接続されている。また、ツェナーダイオードＺＤ１のカソードは、制御回路８、出力回路４及び第１検出回路５と電気的に接続されている。
【００３９】
出力回路４は、光源３４を調光するための調光信号Ｓ１を第１電源回路３へ出力するように構成されている。調光信号Ｓ１は、ＰＷＭ信号である。ＰＷＭ信号の振幅は、１２Ｖである。ＰＷＭ信号の周波数は、１ｋＨｚである。本実施形態では、ＰＷＭ信号の１周期におけるオン時間が短くなるにつれて、調光信号Ｓ１の調光率が大きくなる。
【００４０】
出力回路４は、取得部１３と、生成部１４とを備えている。取得部１３は、例えば、調光器からの指令を取得するように構成されている。具体的には、取得部１３は、例えば、調光器からの指令を示す値（指令値）を取得するように構成されている。指令値は、調光信号Ｓ１の調光率を示す値である。
【００４１】
生成部１４は、取得部１３で取得された指令値に基づいて、調光信号Ｓ１を生成するように構成されている。生成部１４は、例えば、マイクロコンピュータ（第２マイクロコンピュータ）である。第２マイクロコンピュータは、第２メモリを備えている。第２メモリには、第２プログラムが記憶されている。第２プログラムは、第２マイクロコンピュータを生成部１４として機能させるためのプログラムである。また、第２メモリには、データテーブルが記憶されている。データテーブルには、取得部１３で取得される指令値と、調光信号Ｓ１の調光率とが１対１で対応付けられている。これにより、生成部１４は、取得部１３で取得された指令値が入力されたとき、データテーブルに基づいて、指令値に対応付けられた調光率を有する調光信号Ｓ１を生成することができる。
【００４２】
また、生成部１４は、調光信号Ｓ１を制御回路８へ出力するように構成されている。制御回路８は、生成部１４からの調光信号Ｓ１の調光率に従って、駆動回路１２を制御するように構成されている。駆動回路１２は、制御回路８の制御に従って、ＤＣ／ＤＣコンバータ７の出力電圧の電圧値を変化させるように構成されている。例えば、駆動回路１２は、ＤＣ／ＤＣコンバータ７の出力電圧の電圧値が第１電圧値と第２電圧値との２値で変化するように、制御回路８の制御に従ってスイッチング素子Ｑ１を駆動する。第１電圧値は、例えば、４０Ｖである。第２電圧値は、第１電圧値よりも小さい。これにより、第１電源回路３は、出力回路４からの調光信号Ｓ１の調光率に基づいたデータ（調光データ）を、照明器具３０に印加する直流電圧に含ませることが可能になる。なお、調光信号Ｓ１の伝送速度は、光源３４の光出力にちらつきが発生しない伝送速度であることが望ましい。調光信号Ｓ１の伝送速度は、例えば、１００bps（bits per second）以上であることが望ましい。伝送速度は、１秒あたりに送信する情報量（データ量）を意味する。
【００４３】
第１検出回路５は、第１電源回路３の出力電流Ｉａの電流値を検出値として検出するように構成されている。第１検出回路５は、抵抗Ｒ５と、増幅回路１５とを備えている。
【００４４】
抵抗Ｒ５の第１端は、第２接続部２の出力端子２Ｂと電気的に接続されている。抵抗Ｒ５の第２端は、抵抗Ｒ２の第２端と電気的に接続されている。また、抵抗Ｒ５の第１端は、増幅回路１５を介して、生成部１４と電気的に接続されている。増幅回路１５は、出力電流Ｉａに対応する電圧（抵抗Ｒ５の両端電圧）を増幅して生成部１４へ伝達するように構成されている。
【００４５】
生成部１４は、第１検出回路５により検出された検出値を監視するように構成されている。生成部１４は、判定部１６を備えている。判定部１６は、第１検出回路５により検出された検出値が所定値（第１所定値）以上であるか否かを判定するように構成されている。
【００４６】
第１所定値は、電源装置１０の最大許容電流である。最大許容電流は、負荷に連続的に電流を流しても実用上支障が生じない電流の限度（最大値）を意味する。電源装置１０の最大許容電流は、例えば、電源装置１０の定格電流の８０％の電流値である。また、電源装置１０の最大許容電流は、電源装置１０と電気的に接続が許容される照明器具３０の台数（接続許容台数）に相当する。本実施形態では、電源装置１０の接続許容台数を３台と定義する。なお、電源装置１０の最大許容電流は、電源装置１０の使用環境の温度（周囲温度）を考慮した値であってもよい。また、本実施形態では、電源装置１０の接続許容台数を３台と定義するが、この台数に限らない。
【００４７】
生成部１４は、判定部１６により検出値が第１所定値以上であると判定された場合、検出値が第１所定値よりも小さくなるように調光信号Ｓ１の調光率を変化させる。具体的には、生成部１４は、判定部１６により検出値が第１所定値以上であると判定された場合、検出値が第１所定値よりも小さくなるように調光信号Ｓ１の調光率を第１調光率（図３中のＭ１）に変更する。第１調光率は、判定部１６により検出値が第１所定値以上であると判定される前の調光率よりも小さい。
【００４８】
また、生成部１４は、調光信号Ｓ１の調光率を第１調光率に変更した後、第１調光率と第２調光率（図３中のＭ２）とを交互に繰り返すように、調光信号Ｓ１の調光率を変化させる。第２調光率は、検出値が第１所定値Ｉｔ１である場合の調光率よりも小さい。本実施形態では、第２調光率は、第１調光率よりも小さい。
【００４９】
また、生成部１４は、調光率が第１調光率であるときの時間（図３中のＴ１）及び調光率が第２調光率であるときの時間（図３中のＴ２）それぞれが、光源３４の光出力の変化を視認できる時間となるように、調光信号Ｓ１の調光率を変化させる。光源３４の光出力の変化を視認できる時間は、例えば、数ｓ程度の時間である。
【００５０】
以下、照明システム１００において、３台の照明器具３０に新たな１台の照明器具３０が追加された場合の電源装置１０の動作について説明する。なお、以下では、３台の照明器具３０が消灯中に新たな１台の照明器具３０が追加された後、全ての照明器具３０の光源３４を全点灯させた場合の電源装置１０の動作について説明する。全点灯とは、照明器具３０の光源３４を点灯させたときの調光信号Ｓ１の調光率が１００％であることを意味する。
【００５１】
電源装置１０では、３台の照明器具３０に新たな１台の照明器具３０が追加された場合、電源装置１０の接続許容台数を超えるので、出力電流Ｉａが電源装置１０の最大許容電流を超えることになる。すなわち、電源装置１０では、３台の照明器具３０に新たな１台の照明器具３０が追加された場合、第１検出回路５により検出された検出値（出力電流Ｉａの電流値）が第１所定値Ｉｔ１以上になる（図３参照）。
【００５２】
生成部１４は、図３に示すように、判定部１６により検出値が第１所定値Ｉｔ１以上であると判定された場合（図３中のＴ０）、検出値が第１所定値Ｉｔ１よりも小さくなるように調光信号Ｓ１の調光率を１００％から第１調光率（図３中のＭ１）に変更する。また、生成部１４は、図３に示すように、調光信号Ｓ１の調光率を１００％から第１調光率に変更した後、第１調光率と第２調光率（図３中のＭ２）とを交互に繰り返すように、調光信号Ｓ１の調光率を変化させる。第１調光率は、１００％よりも小さい。第２調光率は、第１調光率よりも小さい。図３中のＩ１は、調光信号Ｓ１の調光率が第１調光率のときの出力電流Ｉａの電流値である。図３中のＩ２は、調光信号Ｓ１の調光率が第２調光率のときの出力電流Ｉａの電流値である。図３中のＴ０は、判定部１６により検出値が第１所定値Ｉｔ１以上であると判定された時点から、調光信号Ｓ１の調光率を１００％から第１調光率に変更した時点までの時間（検出時間）である。図３中のＴ１は、調光信号Ｓ１の調光率が第１調光率であるときの時間（第１調光率の時間）である。図３中のＴ２は、調光信号Ｓ１の調光率が第２調光率であるときの時間（第２調光率の時間）である。検出時間は、数ｍｓ程度の時間である。第２調光率は、施工業者等の人が光源３４の光出力の変化を認識できる程度の低い調光率である。なお、第２調光率は、施工業者等の人が光源３４の光出力の変化を認識できる程度の低い調光率であるが、これに限らない。第２調光率は、光源３４が消灯する調光率であってもよい。
【００５３】
電源装置１０では、３台の照明器具３０に新たな１台の照明器具３０が追加された場合、検出値が第１所定値Ｉｔ１よりも小さくなるように調光信号Ｓ１の調光率を小さくするので、出力電流Ｉａを電源装置１０の最大許容電流よりも小さくすることが可能になる。すなわち、電源装置１０では、接続許容台数を超えた場合、１台あたりの照明器具３０の光源３４の光出力を減らして全ての照明器具３０の光源３４を点灯させるので、過負荷による故障を抑制することが可能になる。
【００５４】
また、電源装置１０では、検出値が第１所定値Ｉｔ１よりも小さくなるように調光信号Ｓ１の調光率を第１調光率に変更した後、第１調光率と第２調光率とを交互に繰り返すように調光率を変化させるので、過負荷であることを、施工業者等の人に知らせることが可能になる。
【００５５】
したがって、本実施形態の電源装置１０では、過負荷による故障を抑制することが可能で、かつ、過負荷であることを通知可能になる。
【００５６】
なお、第２調光率は、第１調光率よりも小さいが、これに限らない。第２調光率は、第１調光率よりも大きくてもよい。ただし、この場合、第２調光率は、検出値が第１所定値Ｉｔ１である場合の調光率（図３の例では、１００％）よりも小さくする必要がある。すなわち、第２調光率は、第１調光率よりも大きく、かつ、検出値が第１所定値Ｉｔ１である場合の調光率よりも小さい調光率であってもよい。
【００５７】
また、図３では、３台の照明器具３０が消灯中に新たな１台の照明器具３０が追加された後、全ての光源３４を全点灯させた場合の電源装置１０の動作を例示しているが、３台の照明器具３０が点灯中に新たな１台の照明器具３０が追加された場合も同じである。
【００５８】
生成部１４は、図４に示すように、出力電流Ｉａの電流値が第２所定値Ｉｔ２以上である場合、第１調光率（図４中のＭ３）を、検出値が第１所定値Ｉｔ１以上、かつ、第２所定値Ｉｔ２未満である場合の第１調光率（図３中のＭ１）よりも小さくする。第２所定値Ｉｔ２は、第１所定値Ｉｔ１よりも大きい。本実施形態では、第２メモリに、検出値が第１所定値Ｉｔ１以上かつ第２所定値Ｉｔ２未満である場合の第１調光率が、記憶されている。これにより、電源装置１０では、出力電流Ｉａの電流値が第２所定値Ｉｔ２以上である場合、第１調光率を、出力電流Ｉａの電流値が第１所定値Ｉｔ１以上かつ第２所定値Ｉｔ２未満である場合よりも小さくするので、過負荷による故障を、より抑制可能になる。なお、検出値が第２所定値Ｉｔ２以上である場合とは、３台の照明器具３０に新たに追加された照明器具３０の台数が、２台以上の場合を意味する。
【００５９】
また、生成部１４は、３台の照明器具３０に新たに追加される照明器具３０の台数が多くなるにつれて、調光信号Ｓ１の第１調光率を小さくする。具体的には、生成部１４は、出力電流Ｉａの電流値と第１所定値Ｉｔ１との差が大きくなるにつれて、第１調光率を小さくする。すなわち、生成部１４は、図５に示すように、出力電流Ｉａの超過率が大きくなるにつれて、第１調光率を小さくする。出力電流Ｉａの超過率αは、下記の式（１）で表される。また、第１調光率Ｍｘは、下記の式（２）で表される。
【００６０】
α＝｛（出力電流Ｉａの電流値）／第１所定値Ｉｔ｝−１  …式（１）
Ｍｘ＝｛１／（１＋α）｝×１００  …式（２）
図５中の相関特性は、直線状に減少する場合を例示しているが、これに限らない。図５中の相関特性は、曲線状に減少する場合であってもよいし、階段状に減少する場合であってもよい。
【００６１】
また、生成部１４は、図４に示すように、検出値が第２所定値Ｉｔ２以上である場合、第１調光率の時間（図４中のＴ３）を、検出値が第１所定値Ｉｔ１以上、かつ、第２所定値Ｉｔ２未満である場合の第１調光率の時間（図３中のＴ１）よりも短くする。さらに、生成部１４は、図４に示すように、検出値が第２所定値Ｉｔ２以上である場合、第２調光率の時間（図４中のＴ４）を、検出値が第１所定値Ｉｔ１以上、かつ、第２所定値Ｉｔ２未満である場合の第２調光率の時間（図３中のＴ２）よりも長くする。これにより、電源装置１０では、光源３４の光出力の変化を早く開始させることが可能となり、施工業者等の人に過負荷であることを早く通知することが可能になる。また、電源装置１０では、施工業者等の人が光源３４の光出力の変化を認識し易くなる。本実施形態では、第２メモリに、検出値が第１所定値Ｉｔ１以上かつ第２所定値Ｉｔ２未満である場合の第１調光率の時間が、記憶されている。また、本実施形態では、第２メモリに、検出値が第１所定値Ｉｔ１以上かつ第２所定値Ｉｔ２未満である場合の第２調光率の時間が、記憶されている。第１調光率の時間と第２調光率の時間とを合わせた時間は、一定である。なお、第１調光率の時間と第２調光率の時間とを合わせた時間は、一定であるが、必ずしも一定である必要はない。また、生成部１４は、検出値が第２所定値Ｉｔ２以上である場合、第１調光率の時間を、検出値が第１所定値Ｉｔ１以上、かつ、第２所定値Ｉｔ２未満である場合の第１調光率の時間よりも短くしているが、必ず短くする必要はなく、同じであってもよい。ただし、この場合、電源装置１０では、施工業者等の人に過負荷であることを早く通知することが可能になるという効果が得られない。
【００６２】
また、生成部１４は、３台の照明器具３０に新たに追加される照明器具３０の台数が多くなるにつれて、第２調光率の時間を長くする。具体的には、具体的には、生成部１４は、出力電流Ｉａの電流値と第１所定値Ｉｔ１との差が大きくなるにつれて、第２調光率の時間を長くする。すなわち、生成部１４は、図６に示すように、出力電流Ｉａの超過率が大きくなるにつれて、第２調光率の時間を長くする。第２調光率の時間ｔｘは、下記の式（３）で表される。なお、βは、任意の値（例えば、１０）である。
【００６３】
ｔｘ＝β×α  …式（３）
図６中の相関特性は、直線状に増加する場合を例示しているが、これに限らない。図６中の相関特性は、曲線状に増加する場合であってもよいし、階段状に増加する場合であってもよい。
【００６４】
生成部１４は、取得部１３で取得された指令値と、第１検出回路５により検出された検出値とに基づいて、調光信号Ｓ１の調光率を変化させるように構成されている。例えば、生成部１４は、取得部１３で取得された指令値が入力されたときに、判定部１６により検出値が第１所定値Ｉｔ１以上であると判定された場合、調光信号Ｓ１の調光率を、入力された指令値に対応付けられた調光率よりも小さくする。これにより、電源装置１０では、調光信号Ｓ１の調光率が変更される場合であっても、過負荷による故障を抑制することが可能になる。
【００６５】
第１検出回路５は、第１電源回路３の出力電流Ｉａの電流値を検出値として検出するように構成されているが、この構成に限らない。第１検出回路５は、第１電源回路３の出力電圧の電圧値を検出値として検出するように構成されていてもよい。この場合、制御回路８は、ＤＣ／ＤＣコンバータ７の出力電流Ｉａを一定にするように構成される。
【００６６】
また、第１検出回路５は、第１電源回路３の入力電流または入力電圧の一方の値を検出値として検出するように構成されていてもよい。さらに、第１検出回路５は、第１電源回路３の出力電力または入力電力の一方の値を検出値として検出するように構成されていてもよい。
【００６７】
以上説明したように、本実施形態の電源装置１０は、１台または複数台の照明器具３０が電気的に並列接続される接続部（第２接続部）２と、照明器具３０に直流電圧を印加する電源回路（第１電源回路）３とを備えている。また、電源装置１０は、照明器具３０に設けられた光源３４を調光するための調光信号Ｓ１を出力する出力回路４を備えている。出力回路４は、電源回路３の出力電流Ｉａの値（電流値）を監視して電流値が所定値以上であるか否かを判定する判定部１６を有している。出力回路４は、判定部１６により電流値が所定値Ｉｔ１以上であると判定された場合、電流値が所定値Ｉｔ１よりも小さくなるように調光信号Ｓ１の調光率を第１調光率に変更した後、第１調光率と、電流値が所定値Ｉｔ１である場合の調光率よりも小さな第２調光率とを交互に繰り返すように、調光率を変化させる。
【００６８】
この構成によれば、本実施形態の電源装置１０では、接続許容台数を超えた場合、１台あたりの照明器具３０の光源３４の光出力を減らして全ての照明器具３０の光源３４を点灯させるので、過負荷による故障を抑制することが可能になる。また、電源装置１０では、検出値が第１所定値Ｉｔ１よりも小さくなるように調光信号Ｓ１の調光率を第１調光率に変更した後、第１調光率と第２調光率とを交互に繰り返すように調光率を変化させるので、過負荷であることを人に知らせることが可能になる。すなわち、本実施形態の電源装置１０では、過負荷による故障を抑制することが可能で、かつ、過負荷であることを通知可能になる。
【００６９】
出力回路４は、上述のように、判定部１６により電流値が、所定値（第１所定値）Ｉｔ１よりも大きな第２所定値Ｉｔ２以上であると判定された場合、第１調光率を、電流値が第１所定値Ｉｔ１以上、かつ、第２所定値Ｉｔ２未満である場合の第１調光率よりも小さくすることが好ましい。
【００７０】
この構成によれば、本実施形態の電源装置１０では、接続許容台数を超えた場合に、過負荷による故障を、より抑制することが可能になる。
【００７１】
出力回路４は、上述のように、判定部１６により電流値が、所定値（第１所定値）Ｉｔ１よりも大きな第２所定値Ｉｔ２以上であると判定された場合、調光信号Ｓ１の調光率が第２調光率であるときの時間を、電流値が第１所定値Ｉｔ１以上、かつ、第２所定値Ｉｔ２未満である場合の調光率が第２調光率であるときの時間よりも長くすることが好ましい。
【００７２】
この構成によれば、本実施形態の電源装置１０では、光源３４の明るさが暗くなる時間を比較的長くすることができるので、施工業者等の人が光源３４の光出力の変化を認識し易くなる。
【００７３】
以上説明したように、本実施形態の照明システム１００は、電源装置１０と、照明器具３０とを備えている。
【００７４】
この構成によれば、本実施形態の照明システム１００では、電源装置１０を備えているので、過負荷による故障を抑制することが可能で、かつ、過負荷であることを通知可能になる。
【００７５】
なお、生成部１４は、判定部１６により検出値が第１所定値以上であると判定された場合に、調光信号Ｓ１の調光率を第１調光率に変更するが、これに限らない。生成部１４は、判定部１６により検出値が第１所定値を超えたと判定された場合に、調光率を第１調光率に変更してもよい。
【００７６】
出力回路４は、調光信号Ｓ１を第１電源回路３へ出力するように構成されているが、この構成に限らない。例えば、出力回路４は、調光信号Ｓ１を、第２接続部２へ出力するように構成されていてもよい。この場合、照明システム１００は、一対の電線５０Ａ，５０Ｂに加えて、調光信号Ｓ１を伝送する信号線を備える。またこの場合、第２接続部２は、信号線を電気的に接続する信号端子を、さらに備える。
【００７７】
また、出力回路４は、調光信号Ｓ１を、直接、照明器具３０へ出力するように構成されていてもよい。この場合、出力回路４は、例えば、赤外線または電波を媒体とする無線通信を利用して調光信号Ｓ１を照明器具３０に送信するように構成される。
【００７８】
照明システム１００は、３台の照明器具３０Ａ〜３０Ｃを備えているが、これに限らない。照明システム１００は、例えば、４台以上の照明器具を備えていてもよい。また、照明システム１００は、例えば、２台以下の照明器具を備えていてもよい。すなわち、照明システム１００は、１台または複数台の照明器具を備えていればよい。
【００７９】
第１接続部１及び第２接続部２は、コネクタに限らず、例えば、ソケット等であってもよい。ＡＣ／ＤＣコンバータ６は、力率改善機能を有する昇圧チョッパ回路に限らず、例えば、整流ダイオード等であってもよい。スイッチング素子Ｑ１は、エンハンスメント型のｎチャネルＭＯＳＦＥＴに限らず、例えば、エンハンスメント型のｐチャネルＭＯＳＦＥＴ等であってもよい。ＤＣ／ＤＣコンバータ７は、駆動回路１２を備えているが、駆動回路１２を備えていなくてもよい。この場合、駆動回路１２は、制御回路８の内部に設けられる。
【００８０】
制御回路８は、マイクロコンピュータに限らず、例えば、ＡＳＩＣ（Application Specific Integrated Circuit）、ＦＰＧＡ（Field Programmable Gate Array）、制御用ＩＣ（Integrated Circuit）等であってもよい。生成部１４は、マイクロコンピュータに限らず、例えば、ＡＳＩＣ、ＦＰＧＡ、制御用ＩＣ等であってもよい。調光信号Ｓ１は、ＰＷＭ信号に限らず、例えば、振幅信号であってもよい。
【００８１】
第１検出回路５は、増幅回路１５を備えているが、増幅回路１５を備えていなくてもよい。この場合、抵抗Ｒ５の第１端は、生成部１４と電気的に接続される。
【００８２】
複数の固体発光素子の各々は、ＬＥＤに限らず、有機エレクトロルミネッセンス素子等であってもよい。固体発光素子の数は、複数に限らず、１つであってもよい。複数の固体発光素子の電気的な接続関係は、直列接続であるが、この接続に限らない。複数の固体発光素子の電気的な接続関係は、並列接続であってもよいし、直列接続と並列接続とを組み合わせた接続であってもよい。
【００８３】
照明器具３０は、ダウンライトに限らず、例えば、スポットライト等であってもよい。透光部材３２は、レンズに限らず、カバーであってもよい。点灯回路３５は、降圧チョッパ回路に限らず、例えば、昇圧チョッパ回路または昇降圧チョッパ回路であってもよい。また、点灯回路３５は、光源３４をＰＷＭ調光するように構成されているが、この構成に限らない。点灯回路３５は、例えば、光源３４を振幅調光するように構成されていてもよい。
【００８４】
（実施形態２）
以下、実施形態２の電源装置１０について、図１及び図２に基づいて説明する。実施形態２の電源装置１０の基本構成は、実施形態１の電源装置１０と同じである。ただし、実施形態２の電源装置１０では、出力回路４の機能が、実施形態１の電源装置１０と相違する。なお、本実施形態では、実施形態１の電源装置１０と同様の構成要素に同一の符号を付して説明を適宜省略する。また、本実施形態では、実施形態１の電源装置１０との相違点のみを説明する。
【００８５】
出力回路４は、例えば、調光信号Ｓ１と、光源３４を調色するための調色信号との両方を第１電源回路３へ出力するように構成されている。また、出力回路４は、判定部１６により出力電流Ｉａの電流値が所定値Ｉｔ１以上であると判定された場合、調光信号Ｓ１と調色信号とのうち調光信号Ｓ１のみを変化させるように構成されている。これにより、本実施形態の電源装置１０では、出力電流Ｉａの電流値が所定値Ｉｔ１以上の場合に調光信号Ｓ１及び調色信号の両方を変化させる場合に比べて、施工業者等の人が光源３４の光出力の変化を認識し易くなる。
【００８６】
以上説明したように、本実施形態の電源装置１０において、出力回路４は、調光信号Ｓ１と、光源３４を調色するための調色信号との両方を照明器具３０へ出力するように構成されている。出力回路４は、判定部１６により電流値が所定値Ｉｔ１以上であると判定された場合、調光信号Ｓ１と調色信号とのうち調光信号Ｓ１のみを変化させるように構成されている。
【００８７】
この構成によれば、本実施形態の電源装置１０では、出力電流Ｉａの電流値が所定値Ｉｔ１以上の場合に調光信号Ｓ１及び調色信号の両方を変化させる場合に比べて、施工業者等の人が光源３４の光出力の変化を認識し易くなる。
【００８８】
なお、本実施形態の電源装置１０は、実施形態１の照明システム１００に適用されてもよい。
【００８９】
以上説明した実施形態１，２は、本発明の一例に過ぎず、本発明は、上述の実施形態に限定されることはなく、この実施形態以外であっても、本発明に係る技術的思想を逸脱しない範囲であれば、設計等に応じて種々の変更が可能である。
【符号の説明】
【００９０】
２  第２接続部（接続部）
３  第１電源回路（電源回路）
４  出力回路
１０  電源装置
１６  判定部
３０  照明器具
３４  光源
１００  照明システム
Ｉａ  出力電流
Ｉｔ１  第１所定値（所定値）
Ｉｔ２  第２所定値
Ｓ１  調光信号
【図１】
2017120725.tif 000003
【図２】
2017120725.tif 000004
【図３】
2017120725.tif 000005
【図４】
2017120725.tif 000006
【図５】
2017120725.tif 000007
【図６】
2017120725.tif 000008